(57)【要約】      （修正有）【課題】コンプレッサの騒音及び油循環率を下げるコンプレッサの固定子を提供する。【解決手段】固定子は、コンプレッサ内部に設置し、該固定子は円環状の鉄心及び複数の固定子コイルを備え、該固定子内部の隣接する固定子コイル間に上下貫通する間隙を形成する。そのうち、該固定子の上方には蓋体２０を設置し、該蓋体には環状辺２１を設置して該固定子上に固定し、該環状辺は内部に向けて遮蔽部品２２を成形し、該遮蔽部品は該間隙上方を遮蔽する。【選択図】図３
0003172094.tif 000002
【実用新案登録請求の範囲】
【請求項１】
固定子はコンプレッサ内部に設置し、該固定子は円環状の鉄心及び複数の固定子コイルを備え、該固定子コイル集中巻付け方式で該鉄心内側周囲の多数のギア部上に設置し、該固定子内部は隣接する固定子コイル間に上下貫通する間隙を形成するコンプレッサの固定子において、
該固定子上方には蓋体を設置し、該蓋体は環状辺を成形して該固定子上に固定し、該環状辺は内部へ向けて遮蔽部品を成形し、該遮蔽部品が該間隙上方を遮蔽することを特徴とするコンプレッサの固定子。
【請求項２】
前記遮蔽部品は、各固定子コイル辺に沿って湾曲部を形成し、隣接する湾曲部間は連接して封蓋部を成形し、該封蓋部は相対して各間隙上方を封鎖することを特徴とする請求項１記載のコンプレッサの固定子。
【請求項３】
前記湾曲部は少なくとも一穿孔を穿設することを特徴とする請求項２記載のコンプレッサの固定子。
【請求項４】
前記遮蔽部品は該固定子コイル上の相対する上部に成形することを特徴とする請求項１から３記載のコンプレッサの固定子。
【請求項５】
前記上部は少なくとも一穿孔を設置することを特徴とする請求項４記載のコンプレッサの固定子。
【請求項６】
前記鉄心は、上、下にそれぞれ上、下フレームを設置することを特徴とする請求項１から３記載のコンプレッサの固定子。
【請求項７】
前記環状辺は、少なくとも一固定孔を設置し、該上フレーム側辺には対応する固定塊を成形するか、もしくは該環状辺に少なくとも一固定塊を設置して該上フレーム側辺に相対する固定孔を設置することを特徴とする請求項６記載のコンプレッサの固定子。
【請求項８】
前記各ギア部は、間隙箇所に向けて垂直方向に伸びる絶縁部品を成形し、該封蓋部は該絶縁部品上方に相互に対応し、欠切口を形成することを特徴とする請求項１から３記載のコンプレッサの固定子。
【請求項９】
前記密閉容器は、内部下方に該電動部品の回転軸で駆動する回転圧縮部品を設置することを特徴とする請求項１から３記載のコンプレッサの固定子。
【考案の詳細な説明】
【技術分野】
【０００１】
本考案は、コンプレッサに関するもので、騒音及び油循環率を下げる固定子を提供する。
【背景技術】
【０００２】
従来、この種の冷媒循環装置は、回転コンプレッサ(コンプレッサ)、ガス冷却器、コンデンサ(膨脹バルブ)及び蒸發器等を順に連接して環状パイプに連接し、冷媒循環(冷媒回路)を構成する。冷媒気体は回転コンプレッサの回転圧縮部品の吸入口からエアシリンダーの低圧室側へ吸い込んだ後、ローラー(roller)と羽根(vane)の動作で圧縮した後、高温高圧の冷媒気体を形成する。続いて高圧室側から排気孔、排出消音室を経て気体冷卻器へ排出する。冷媒気体は、該気体冷卻器で放熱後、コンデンサで凝縮後、続いて蒸發器へ送る。冷媒は蒸發器で蒸發しその状況下で周囲の熱を吸い取り、冷却作用を発揮する。
【０００３】
一般のコンプレッサ１０は、図１及び図２に示すとおり、その構造は、密閉容器１１内の駆動部品である電動部品１２、及び該電動部品１２の回転軸１２３によって駆動する回転圧縮部品１４を含む。該電動部品１２は、密閉容器１１に沿った上部空間の内面に設置した環状の固定子１２１、及びその固定子１２１内側の間隙に挿入して設置した回転子１２２から構成される。その回転子１２２上には垂直方向に伸びる回転軸１２３を固定する。
【０００４】
また固定子１２１は円環状に折り畳んだ電磁鋼板の積層体及び集中巻き付け方式で巻きつけた固定子コイル１２４、隣接する固定子コイル１２４間に形成した上下貫通の間隙１２５を備える。冷媒気体は該隣接する固定子コイル１２４間の間隙１２５を流れて音響共振を発する。
【考案の概要】
【考案が解決しようとする課題】
【０００５】
解決しようとする問題点は、コンプレッサ運転時の騒音が大きくなってしまう点である。
【課題を解決するための手段】
【０００６】
本考案は、コンプレッサ内部に設置し、該固定子は円環状の鉄心及び複数の固定子コイルを備え、該固定子内部の隣接する固定子コイル間に上下貫通する間隙を形成する。そのうち、該固定子の上方には蓋体を設置し、該蓋体には環状辺を設置して該固定子上に固定し、該環状辺は内部に向けて遮蔽部品を成形し、該遮蔽部品は該間隙上方を遮蔽することを最も主要な特徴とする。
【考案の効果】
【０００７】
本考案のコンプレッサの固定子は、コンプレッサの騒音及び油循環率を下げるという利点がある。
【図面の簡単な説明】
【０００８】
【図１】一般コンプレッサの構造指示図である。
【図２】公知のコンプレッサの固定子構造指示図である。
【図３】本考案の固定子と蓋体の第一実施例構造分解図である。
【図４】本考案の固定子と蓋体の第一実施例構造指示図である。
【図５】本考案の蓋体の第二実施例の構造立体図である。
【図６】本考案の蓋体の第二実施例の構造指示図である。
【考案を実施するための形態】
【０００９】
騒音及び油循環率を下げるコンプレッサ固定子を提供することを本考案の主な目的とする。
【００１０】
本考案の固定子は、コンプレッサ内部に設置し、該固定子は円環状の鉄心及び複数の固定子コイルを備え、該固定子コイルは集中巻付け方式で該鉄心内側周囲の多数のギア部上に設置し、該固定子内部は隣接する固定子コイル間に上下貫通する間隙を形成する。そのうち、該固定子の上方には蓋体を設置し、該蓋体は環状辺を設置して該固定子上に固定し、該環状辺は内部に向けて遮蔽部品を成形する。該遮蔽部品は該間隙上方を遮蔽し、コンプレッサ騒音及び油循環率を下げる。
【実施例１】
【００１１】
本考案は、一般コンプレッサ内の固定子を改善したもので、図１に示すとおり、該コンプレッサは同じく密閉容器１１を設置する。該密閉容器１１内には駆動のための電動部品１２を設置し、該電動部品１２は密閉容器１１の内面に沿って設置した環状の固定子１２１及びその固定子１２１内側に挿入して設置した回転子１２２を設置する。該回転子１２２上には垂直方向に伸びる回転軸１２３を固定し、該密閉容器１１内部下方には該電動部品１２の回転軸１２３によって駆動する回転圧縮部品１４を設置する。
【００１２】
図３及び図４に示すとおり、該固定子１２１は円環状の鉄心１２６及び複数の固定子コイル１２４を備える。該固定子コイル１２４は集中巻付け方式で該鉄心１２６内側周囲の多数のギア部１２７上に設置し、該固定子１２１内部は隣り合う固定子コイル１２４間に上下貫通した間隙１２５を形成し、該鉄心１２６の上、下にはそれぞれ上、下フレーム１５、１６を設置する。
【００１３】
本考案の重要点として、該固定子１２１上方には蓋体２０を設置し、該蓋体２０には環状辺２１を設置して該固定子１２１に固定する。該環状辺２１は該固定子コイル１２４向きに遮蔽部品２２を形成し、該遮蔽部品２２は該間隙１２５上方を遮蔽する。図に示す実施例に於いて、該遮蔽部品２２は各固定子コイル１２４辺側に沿って湾曲部２２２を形成し、隣接する湾曲部２２２間には連接して封蓋部２２４を形成する。
【００１４】
組立時、図に示す実施例に於いて、該環状辺２１は少なくとも一固定孔２１１を設置し、該上フレーム１５側辺則には相互に対応する固定塊１５１を成形し、該固定孔２１１と該固定塊１５１を相互に嵌合することで該蓋体２０を該固定子１２１上方に固定し、該封蓋部２２４は相対して各間隙１２５上方を封鎖する。当然、該環状辺に少なくとも一固定塊を設置してもよく、該上フレームの側辺には対応する固定孔を穿設しても同様の固定効果を達成する。
【００１５】
本考案の蓋体の封蓋部２２４で各間隙１２５上方を封鎖することで、該間隙から冷媒気流が漏れるのをシャットアウトし、音腔共振の機会を減らし、更にコンプレッサ運転時の騒音を下げ、また油循環率を下げる。また該湾曲部２２２上には少なくとも一穿孔２２３を設置し、冷媒気体を該穿孔２２３から下方の回転圧縮部品へ戻すことで、良好な放熱効果を維持する。
【実施例２】
【００１６】
図５及び図６の第二実施例に示すとおり、該遮蔽部品２２は該固定子コイル１２４上方に位置する上部２２１に相対して形成し、各上部２２１はそれぞれ湾曲部２２２と連接し、且つ該上部２２１には少なくとも一穿孔２２３を穿設することで、同様に良好な放熱効果を達成する。
【００１７】
その他、各ギア部１２７は、間隙１２５箇所方向に垂直方向に伸びる絶縁部品１２８を成形し、該封蓋部２２４は該絶縁部品１２８上方に相対して欠切口２２５を形成することで、組立が簡単になり、該絶縁部品１２８を該欠切口２２５内に納置しやすくなる。
【００１８】
本考案の技術内容及び技術特徴は、上述のとおりであるが、本領域に習熟した者が本考案提示を元に本考案の精神から乖離しない入替及び修飾を実施するかもしれない。拠って、本考案の保護範囲は、実施例に制限することなく、本考案に乖離しない入替及び修飾も以下の請求範囲に含まれることとする。
【符号の説明】
【００１９】
１０        コンプレッサ
１１        密閉容器
１２        電動部品
１２１      固定子
１２２      回転子
１２３      回転軸
１２４      固定子コイル
１２５      間隙
１２６      鉄心
１２７      ギア部
１２８      絶縁部品
１４        回転圧縮部品
１５        上フレーム
１５１      固定塊
１６        下フレーム
２０        蓋体
２１        環状辺
２１１      固定孔
２２        遮蔽部品
２２１      上部
２２２      湾曲部
２２３      穿孔
２２４      封蓋部
２２５      欠切口
【図１】
0003172094.tif 000003
【図２】
0003172094.tif 000004
【図３】
0003172094.tif 000005
【図４】
0003172094.tif 000006
【図５】
0003172094.tif 000007
【図６】
0003172094.tif 000008